(57)【特許請求の範囲】
【請求項１】
筐体の複数の開口部にそれぞれ設けられた複数の発光部と、
周囲の照度に応じた信号を出力する照度センサと、
前記周囲の照度に応じて前記発光部が出射する光の輝度値が段階的に変化するように、前記照度センサの出力に応じて前記発光部ごとに前記発光部が出射する光のＲＧＢ値を設定するＲＧＢ値設定部と、
前記ＲＧＢ値設定部により設定された前記ＲＧＢ値である設定ＲＧＢ値で前記発光部を発光させる発光制御部と、
配色情報取得部と、
を備え、
前記発光部は、
前記開口部に埋設された光源と、
前記光源を覆うとともに前記開口部をふさぐよう配設され、他の透光板とは独立に配色された透光板と、
を有し、
前記配色情報取得部は、あらかじめ記憶された前記発光部と前記透光板の配色の情報とを関連付けた透光板色情報を取得して、取得した透光板色情報を前記ＲＧＢ値設定部に与え、
前記ＲＧＢ値設定部は、
前記配色情報取得部から与えられた前記透光板色情報と前記照度センサの出力に応じて前記設定ＲＧＢ値を決定し、
前記発光制御部は、
前記光源ごとに、前記光源の発光色および輝度を制御し、前記ＲＧＢ値設定部で決定された前記設定ＲＧＢ値で発光させることを特徴とする携帯端末装置。
【請求項２】
前記ＲＧＢ値設定部は、
前記光源が前記透光板の色と異なる色で発光する場合には、前記周囲の照度によらず前記光源が出射する前記透光板の色の光の最大輝度値以上の所定の輝度値で発光するように、前記発光部ごとに前記透光板の色と異なる色の光について設定ＲＧＢ値を決定し、
前記発光制御部は、
前記光源を前記透光板の色と異なる色で発光させる場合には、前記所定の輝度値で発光するように、前記透光板の色と異なる色の光についての前記設定ＲＧＢ値で発光させる、
請求項１記載の携帯端末装置。
【請求項３】
前記ＲＧＢ設定部は、
前記照度センサの出力にもとづいて前記周囲の照度を複数の照度レベルに分類し、前記周囲の照度が高くなると前記発光部が出射する光の輝度値が段階的に下がるように、前記発光部のそれぞれに対し前記照度レベルごとに前記設定ＲＧＢ値を決定する、
請求項１または２に記載の携帯端末装置。
【請求項４】
前記ＲＧＢ値設定部は、
あらかじめ、所定の時間ごとに、前記照度センサの出力に応じて前記発光部ごとに前記設定ＲＧＢ値を決定することにより、前記設定ＲＧＢ値を前記所定の時間ごとに更新し、
前記発光制御部は、
前記所定の時間ごとに更新された最新の前記設定ＲＧＢ値で前記発光部を発光させる、
請求項１ないし３のいずれか１項に記載の携帯端末装置。
【発明の詳細な説明】
【技術分野】
【０００１】
本発明の実施形態は、携帯端末装置に関する。
【背景技術】
【０００２】
携帯電話機などの携帯端末装置には、ＬＥＤなどの発光部を有するものが多い。発光部を発光させるためには、所要の電力が必要である。最近では、筐体に複数の発光部を有する携帯端末装置も増えてきた。この種の携帯端末装置は、これらの発光部の発光を制御することにより様々なイルミネーションを実現することができる一方で、発光部により消費電力はさらに増加してしまう。
【０００３】
このため、発光部を有する携帯端末装置にとって発光部による消費電力を削減することが重要となる。
【先行技術文献】
【特許文献】
【０００４】
【特許文献１】特開２００４−７２２１２号公報
【発明の概要】
【発明が解決しようとする課題】
【０００５】
発光部の消費電力を削減する際、発光部の発光を、ユーザの視認性を考慮せずに制御してしまうと、ユーザが発光を確認可能な輝度より高い輝度で発光部を発光させてしまうことがあり、十分に消費電力の削減が図れない場合がある。
【課題を解決するための手段】
【０００６】
本発明の一実施形態に係る携帯端末装置は、上述した課題を解決するために、複数の発光部と、照度センサと、ＲＧＢ値設定部と、発光制御部と、を備えるものである。複数の発光部は、筐体の複数の開口部にそれぞれ設けられる。照度センサは、周囲の照度に応じた信号を出力する。ＲＧＢ値設定部は、周囲の照度が高くなると発光部が出射する光の輝度値が段階的に下がるように、照度センサの出力に応じて発光部ごとに発光部が出射する光のＲＧＢ値を設定する。発光制御部は、ＲＧＢ値設定部により設定されたＲＧＢ値である設定ＲＧＢ値で発光部を発光させる。
【図面の簡単な説明】
【０００７】
【図１】本発明の一実施形態に係る携帯端末装置としての携帯電話機の外観の一例を示す全体構成図であり、（ａ）は携帯電話機が開いている状態における正面図、（ｂ）は携帯電話機が開いた状態における背面図。
【図２】図１（ｂ）のＡ部を拡大して示す図。
【図３】携帯電話機の内部構成例を概略的に示すブロック図。
【図４】図３に示す主制御部のＣＰＵによる機能実現部の構成例を示す概略的なブロック図。
【図５】透光板の配色によらず周囲の照度に応じて光源の輝度制御を行うための輝度制御用テーブルの一例を示す説明図。
【図６】周囲の照度によらず透光板の配色に応じて光源の輝度制御を行うための輝度制御用テーブルの一例を示す説明図。
【図７】周囲の照度および透光板の配色に応じて光源の輝度制御を行うための輝度制御用テーブルの一例を示す説明図。
【図８】図１に示す携帯端末装置のＣＰＵにより、ユーザの視認性を考慮して発光部の発光を制御することにより発光部による消費電力を削減するための処理際の手順を示すフローチャート。
【図９】図８のステップＳ２でＲＧＢ値設定部により実行されるＲＧＢ値設定処理の手順を示すサブルーチンフローチャート。
【図１０】ＲＧＢ値設定情報を事前に取得しておく場合の手順を示すフローチャート。
【図１１】図１０に示す手順により事前に取得されたＲＧＢ値設定情報を用いて発光イベント発生時の発光処理を行う場合の手順を示すフローチャート。
【発明を実施するための形態】
【０００８】
本発明に係る携帯端末装置の実施の形態について、添付図面を参照して説明する。
【０００９】
本発明の一実施形態に係る携帯端末装置は、ユーザの視認性を考慮して発光部の発光を制御することにより発光部による消費電力を削減するものである。ユーザの視認性を考慮した発光部の発光制御方法としては、たとえば、周囲の照度が高いほど発光部の輝度を低下させる制御方法が考えられる。周囲の照度が高いと、発光部の輝度を高くしてもユーザによる視認性はあまり向上しないためである。また、発光部の透光板の色と同色の発光時には他色の発光時よりも輝度を低下させる制御方法も考えられる。ユーザは発光前からすでに、発光部の位置が透光板の色で配色されているように視認しているためである。
【００１０】
図１は、本発明の一実施形態に係る携帯端末装置の外観の一例を示す全体構成図である。なお、本実施形態では、本発明に係る携帯端末装置として、携帯電話機を用いる場合の一例について説明する。
【００１１】
図１（ａ）には、携帯電話機１０が開いている状態における正面図を、（ｂ）には携帯電話機１０が開いた状態における背面図を、それぞれ示した。
【００１２】
携帯電話機１０は、第１のユニット１１、第２のユニット１２および第２のユニット１２に対し第１のユニット１１を開閉自在に連結する連結部１３を有する。
【００１３】
図１（ａ）に示すように、第２のユニット１２は、第１のユニット１１に対して、開閉軸を中心として開閉自在となるように、連結部１３（ヒンジ）を介して連結される。第２のユニット１２が開閉軸を中心として回転することにより、携帯電話機１０は、開いている状態と閉じた状態とで位置決めすることができる。
【００１４】
第１のユニット１１は、薄い箱形の筐体１４を有し、この筐体１４の上面の表面上には、入力部１５およびマイクロフォン１６が設けられる。第２のユニット１２は、薄い箱形の筐体１７を有する。この筐体１７の上面の表面上には、表示部１８およびレシーバ１９が設けられる。
【００１５】
第１の筐体１１と第２の筐体１２の内部には、それぞれ磁性片２１と磁気センサ２２が設けられている。磁性片２１と磁気センサ２２は、閉状態において互いに対向する位置に配置されている。
【００１６】
また、図１（ｂ）に示すように、第１の筐体１４および第２の筐体１７の背面には、複数の発光部２３が設けられる。また、第１の筐体１４の背面にはさらに、カメラ２４および照度センサ２５が設けられる。
図２は、図１（ｂ）のＡ部を拡大して示す図である。
【００１７】
図２に示すように、発光部２３は、筐体１４および筐体１７の背面に設けられた開口部に埋設された光源２６と、光源２６を覆うとともに筐体１７の開口部をふさぐように配設された透光板２７と、を有する。光源２６が出射した光は、透光板２７を透過して外部に照射される。透光板２７は、発光部２３ごとに独立に配色される。なお、図１（ｂ）には発光部２３が筐体１４および筐体１７の背面にそれぞれ複数設けられる場合の例について示したが、発光部２３は筐体１４および筐体１７のいずれか一方の背面のみに設けられてもよい。
【００１８】
図３は、携帯電話機１０の内部構成例を概略的に示すブロック図である。
【００１９】
携帯電話機１０は、図３に示すように、さらにアンテナ３１、送受信部３２、記憶部３３、タイマ３４および主制御部３５を少なくとも有する。
【００２０】
入力部１５は、たとえばテンキー、タッチパネルなどの一般的な入力装置により構成され、ユーザの入力操作に対応した信号を出力する。マイクロフォン１６は、ユーザによって入力された音声をデジタル音声信号に変換する。表示部１８は、たとえば液晶ディスプレイやＯＬＥＤ（Organic Light Emitting Device）ディスプレイなどの一般的な表示出力装置により構成され、表示部１８の背景画像（壁紙）、壁紙に重畳表示される電池残量や電波強度を概略的に示す画像などの各種アイコンや、着信時に表示される画像および映像などを表示する。レシーバ１９は、受話音声をはじめとした各種の情報に対応した音声を出力する。
【００２１】
磁気センサ２２は、主制御部３５に対し、磁性片２１との距離に応じた出力を行う。このため、主制御部３５は、この出力を監視することにより開閉状態を検知することができる。この磁気センサ２２は、たとえばリードスイッチやホール素子などを用いて構成することができる。
【００２２】
カメラ２４は、ＣＣＤ（Charge Coupled Device）イメージセンサやＣＭＯＳ（Complementary Metal Oxide Semiconductor）イメージセンサなどにより構成され、携帯電話機１０の周辺の映像を取り込んで映像信号を生成して主制御部３５に与える。主制御部３５は、カメラ２４から受けた映像信号にもとづく画像を生成して表示部１８に表示することができる。
【００２３】
照度センサ２５は、携帯電話機１０の周囲の照度（ｌｘ）に応じた信号を主制御部３５に出力する。主制御部３５は、照度センサ２５の出力に応じて発光部２３ごとにＲＧＢ値を制御することができる。
【００２４】
光源２６は、たとえば無機ＬＥＤ（Light Emitting Diode）により構成され、主制御部３５により駆動電流を制御されるとともに発光ＲＧＢ値を制御される。主制御部３５は、複数の発光部２３の光源２６の発光をそれぞれ独立に制御することにより、ユーザに多彩なイルミネーションを提供する。
【００２５】
アンテナ３１は、図示しない無線基地局との間で通信電波の送受信を行う。送受信部３２は、通信電波に内在する無線信号を送受信する無線回路であり、主制御部３５から出力される通信データを変調し、アンテナ３１を介して送信する。また、送受信部３２は、アンテナ３１を介して受信した通信データを復調し、主制御部３５へ出力する。通信データには、少なくとも通話を行うための音声データおよびインターネット通信を行うためのデータが含まれる。
【００２６】
記憶部３３は、発光部２３と透光板２７の配色の情報とを関連付けた情報である透光板色情報３６をあらかじめ記憶している。また、記憶部３３は、ユーザの視認性を考慮した発光部の発光制御を行うための輝度制御用テーブル３７をあらかじめ記憶している。
【００２７】
タイマ３４は、主制御部３５により制御され、所定の時間をセットされて起動される。たとえば、タイマ３４は、所定の時間をセットされて起動されて計時開始後に所定の時間が経過すると、主制御部３５に対してタイムアウト信号を出力し、リセットされて再度計時を開始する周期タイマとして利用される。タイマ３４は、所定の時間ごとにタイムアウト信号を出力したり、ユーザにより設定された時刻が到来するとタイムアウト信号を出力したりするようになっている。
【００２８】
主制御部３５は、ＣＰＵ、ＲＡＭ、ＲＯＭなどにより構成され、ＲＯＭ内に記憶されたプログラムに従って、携帯電話機１０の処理動作を制御する。ＣＰＵは、ＲＯＭ内に記憶された輝度制御プログラムおよびプログラムの実行のために必要なデータをＲＡＭへロードし、輝度制御プログラムに従って、ユーザの視認性を考慮して発光部の発光を制御することにより発光部による消費電力を削減するための処理を実行する。
【００２９】
ＲＡＭは、ＣＰＵが実行するプログラムおよびデータを一時的に格納するワークエリアを提供する。
【００３０】
ＲＯＭは、携帯電話機１０の起動プログラム、輝度制御プログラムや、これらのプログラムを実行するために必要な各種データを記憶する。
【００３１】
なお、記憶部３３およびＲＯＭは、磁気的もしくは光学的記録媒体または半導体メモリなどの、ＣＰＵにより読み取り可能な記録媒体を含んだ構成を有し、記憶部３３およびＲＯＭ内のプログラムおよびデータの一部または全部は電子ネットワークを介してダウンロードされるように構成してもよい。たとえば、輝度制御用テーブル３７は、電子ネットワークを介してダウンロードした内容で更新されてもよい。
【００３２】
図４は、図３に示す主制御部３５のＣＰＵによる機能実現部の構成例を示す概略的なブロック図である。なお、この機能実現部は、ＣＰＵを用いることなく回路などのハードウエアロジックによって構成してもよい。
【００３３】
ＣＰＵは、輝度制御プログラムによって、少なくとも発光イベント判定部４１、ＲＧＢ値設定部４２および発光制御部４３として機能する。
【００３４】
発光イベント判定部４１は、光源２６を制御して様々なイルミネーションを実現すべきイベント（以下、発光イベントという）が発生したか否かを判定する。発光イベントとしては、たとえば携帯電話機１０のシステム電源がＯＮになること（システム起動）や、音声着信、メール着信、筐体開閉、スケジュール時刻やアラーム時刻の到来などのほか、ウェブページや記憶部３３に記憶されたコンテンツの再生などが挙げられる。コンテンツの再生時には、コンテンツの内容に連動してイルミネーションを変化させるとよい。
【００３５】
一連のイルミネーションパターンにおける各光源２６の発光パターンは、記憶部３３にあらかじめ記憶されている。記憶部３３は、複数のイルミネーションパターンを記憶しておく。イルミネーションパターンはそれぞれ発光イベントに関連付けられているとよい。一連のイルミネーションパターンにおいて、１つの光源２６が発光色を時間とともに切り替える場合もある。
【００３６】
ＲＧＢ値設定部４２は、配色情報取得部５１、照度情報取得部５２、照度レベル決定部５３、ＲＧＢ値取得部５４およびＲＧＢ値書込み部５５を有する。
【００３７】
配色情報取得部５１は、発光イベント判定部４１から発光イベントが発生した旨の情報を受け、またはタイマ３４からＲＧＢ値設定タイミングが到来した旨の情報を受けると、記憶部３３に記憶された透光板色情報３６から透光板２７の配色情報を取得し、ＲＧＢ取得部５４に与える。
【００３８】
照度情報取得部５２は、照度センサ２５から携帯電話機１０の周囲の照度に応じた出力信号を受ける。照度レベル決定部５３は、照度センサ２５の出力に応じて現在の照度を複数のレベルに分類する。
【００３９】
ＲＧＢ値取得部５４は、輝度制御用テーブル３７に記憶された情報から、少なくとも所定の発光色について、現在の照度レベルに関連付けられたＲＧＢ値の情報を取得する。所定の発光色としては、たとえば透光板２７の配色と同一色や類似色などが挙げられる。もちろん、輝度制御用テーブル３７に光源２６が発光する全ての色について照度レベルに応じたＲＧＢ値が記憶されている場合には、ＲＧＢ値設定部４２は、光源２６が発光する全ての色についてＲＧＢ値を取得しても構わない。
【００４０】
ＲＧＢ値書込み部５５は、光源２６と、発光色と、取得したＲＧＢ値（以下、設定ＲＧＢ値という）と、を関連付けた情報であるＲＧＢ値設定情報を、ＲＡＭの所要のワークエリアに格納する。
【００４１】
発光制御部４３は、ＲＡＭの所要のワークエリアからＲＧＢ値設定情報を読み出して光源２６を発光しようとする色に関連付けられた設定ＲＧＢ値を取得し、この設定ＲＧＢ値で光源２６を発光させる。なお、光源２６を発光しようとする色に関連付けられた設定ＲＧＢ値がない場合、発光制御部４３は、この発光色のデフォルトＲＧＢ値で光源２６を発光させるとよい。発光色とデフォルトＲＧＢ値とは、互いに関連付けられて記憶部３３などの記憶媒体にあらかじめ記憶させておくとよい。
【００４２】
上述したように、記憶部３３は、ユーザの視認性を考慮した発光部の発光制御を行うための輝度制御用テーブル３７をあらかじめ記憶している。この輝度制御用テーブル３７の内容によって、ＲＧＢ値設定情報が決定されることになる。輝度制御用テーブル３７は、主制御部３５が周囲の照度や透光板の配色に応じて光源２６の発光を制御可能な情報を内容とする。以下、図５〜図７を用いて輝度制御用テーブル３７の構成例について簡単に説明する。
【００４３】
図５は、透光板２７の配色によらず周囲の照度に応じて光源２６の輝度制御を行うための輝度制御用テーブル３７の一例を示す説明図である。なお、以下の説明では、周囲の照度を暗いほうから明るいほうに向かって順に照度レベル１〜５の５段階に分類する場合の例について示す。
【００４４】
周囲の照度が高いと、光源２６の輝度を高くしてもユーザによる視認性はあまり向上しないと考えられる。そこで、周囲の照度が高いほど段階的に光源２６の輝度を低下させることでユーザの視認性をあまり損なうことなく消費電力を削減する。
【００４５】
この場合、ある発光色のデフォルトＲＧＢ値を（Ｒ：Ｇ：Ｂ）＝（ｒ：ｇ：ｂ）とすると、明るくなるにつれてｒ、ｇ、ｂをそれぞれ１以下の係数で等倍することにより、ＲＧＢ比率を維持しつつＲＧＢ値を低下させていくとよい。
【００４６】
この場合、ＲＧＢ値取得部５４は、現在の照度レベルに関連付けられたＲＧＢ値の設定式を取得し、ＲＧＢ値書込み部５５はこの式をＲＧＢ値設定情報としてＲＡＭの所要のワークエリアに格納する。そして、発光制御部４３は、この式を用いて発光色のＲＧＢ値を求め、光源２６を発光させる。
【００４７】
図６は、周囲の照度によらず透光板２７の配色に応じて光源２６の輝度制御を行うための輝度制御用テーブル３７の一例を示す説明図である。
【００４８】
ユーザは、光源２６の発光前からすでに、発光部２３の位置が透光板２７の色で配色されているように視認している。このため、透光板２７と同一の色で発光部２３が発光する場合は、他の色で発光する場合に比べて低輝度であってもユーザによる色の識別性を確保可能であると考えられる。そこで、透光板２７と同一または類似の色の発光時には、他色の発光時よりも輝度を低下させることでユーザによる視認性をあまり損なうことなく消費電力を削減する。
【００４９】
なお、以下の説明では、透光板２７の配色について「ｗｈｉｔｅ」などの７色であり、光源２６が少なくとも透光板２７が配色されうる７色と同一色を発光可能である場合の例について示す。
【００５０】
図６に示すように、輝度制御用テーブル３７は、光源２６が透光板２７と同一色で発光する場合には他色で発光する場合に比べて輝度を低下させるようになっている。たとえば透光板２７が「ｗｈｉｔｅ」で配色されている場合、輝度制御用テーブル３７は、光源２６が「ｗｈｉｔｅ」で発光する場合には（１：１：１）がＲＧＢ値として設定されるよう、透光板２７の配色と配色度同一色のＲＧＢ値とを関連付けて記憶している。
【００５１】
この場合、ＲＧＢ値取得部５４は光源２６ごとに透光板２７と同一色のＲＧＢ値を取得し、ＲＧＢ値書込み部５５は、光源２６と、光源２６の透光板２７と同一色と、設定ＲＧＢ値とを関連付けたＲＧＢ値設定情報をＲＡＭの所要のワークエリアに格納する。たとえば、「ｗｈｉｔｅ」に配色された透光板２７に対応する光源２６では、ＲＧＢ値設定情報において、光源２６の情報と、「ｗｈｉｔｅ」と、（１：１：１）と、が関連付けられる。
【００５２】
そして、発光制御部４３は、光源２６を発光させる際に、光源２６およびこれから光源２６を発光させようとする色の情報でＲＧＢ値設定情報を検索し、設定ＲＧＢ値を取得して、この設定ＲＧＢ値で光源２６を発光させる。
【００５３】
なお、発光制御部４３は、光源２６を発光させようとする色の情報がＲＧＢ値設定情報において光源２６に関連付けられていない場合（たとえば上記例では透光板２７の色と異なる色で光源２６を発光させる場合など）には、その色については同一色で発光する場合の輝度以上の所定の輝度で発光させるように、たとえばデフォルトＲＧＢ値（図６の２行目参照）で発光させるとよい。たとえば、ＲＧＢ値設定情報において光源２６の情報と「ｗｈｉｔｅ」と（１：１：１）とが関連付けられており、この光源２６を「ｒｅｄ」で発光させる場合には、（７：０：０）を設定ＲＧＢ値とするとよい。
【００５４】
また、ＲＧＢ値取得部５４およびＲＧＢ値書込み部５５は、１つの光源２６について透光板２７と同一色に限らず類似の１または複数の発光色について発光色およびＲＧＢ値を関連付けてＲＧＢ値設定情報としてもよい。
【００５５】
図７は、周囲の照度および透光板２７の配色に応じて光源２６の輝度制御を行うための輝度制御用テーブル３７の一例を示す説明図である。
【００５６】
図７は、図５と図６を組み合わせて作成された輝度制御用テーブル３７の一例である。輝度制御用テーブル３７が図７に示す情報を有する場合、ＲＧＢ値取得部５４は、透光板２７の配色と同一色の発光色について、現在の照度レベルに関連付けられたＲＧＢ値を取得する。そして、ＲＧＢ値書込み部５５は、光源２６と、光源２６の透光板２７と同一色と、現在の周囲の照度に応じた設定ＲＧＢ値とを関連付けたＲＧＢ値設定情報をＲＡＭの所要のワークエリアに格納する。
【００５７】
なお、図７に示した場合においても、図６に示した場合と同様に、光源２６を発光させようとする色の情報がＲＧＢ値設定情報において光源２６に関連付けられていない場合には、発光制御部４３は、その色については同一色で発光する場合の輝度以上の所定の輝度で発光させるように、デフォルトＲＧＢ値（図７の２行目参照）を設定ＲＧＢ値として光源２６を発光させるとよい。
【００５８】
次に、本実施形態に係る携帯端末装置の動作の一例について説明する。
【００５９】
図８は、図１に示す携帯端末装置１０のＣＰＵにより、ユーザの視認性を考慮して発光部の発光を制御することにより発光部２３の消費電力を削減するための処理際の手順を示すフローチャートである。図８において、Ｓに数字を付した符号は、フローチャートの各ステップを示す。
【００６０】
この手順は、ユーザにより入力部１５を介して携帯端末装置１０の起動指示があった時点でスタートとなる。
【００６１】
まず、ステップＳ１において、主制御部３５は、システムを構成する各ユニットへ電力を供給し、発光イベントの１つであるシステムの起動を開始する。このとき、システム起動は発光イベントであることから、発光イベント判定部４１は、発光イベントが発生した旨の情報をＲＧＢ値設定部４２に与える。
【００６２】
次に、ステップＳ２において、ＲＧＢ値設定部４２は、発光イベント判定部４１から発光イベントが発生した旨の情報を受け、ユーザの視認性を考慮した光源２６の発光制御を行うために、少なくとも所定の発光色についてのＲＧＢ値を光源２６ごとに設定する（ＲＧＢ値設定処理を実行する）。所定の発光色としては、たとえば透光板２７の配色と同一色や類似色などが挙げられる。
【００６３】
もちろん、ＲＧＢ値設定部４２は、光源２６が発光する全ての色についてＲＧＢ値を設定しても構わない。以下の説明では、所定の発光色は透光板２７の配色と同一色であり、他の色についてはデフォルト値が設定ＲＧＢ値（図７の２行目参照）とされる場合の例について示す。
【００６４】
次に、ステップＳ３において、発光制御部４３は、ＲＡＭの所要のワークエリアに格納されたＲＧＢ値設定情報にもとづいて、所定のイルミネーションパターンにおいて光源２６を発光させようとする色について、設定ＲＧＢ値があるか否かを判定する。設定ＲＧＢ値がある場合は、ステップＳ４に進む。一方、設定ＲＧＢ値がない場合はステップＳ５に進む。たとえば、輝度制御用テーブル３７が図５に示す情報を有する場合、ＲＧＢ値設定情報は全ての色について適用可能な式であるため、ステップＳ４に進むことになる。
【００６５】
次に、ステップＳ４において、発光制御部４３は、設定ＲＧＢ値で光源２６を発光させる。他方、ステップＳ５において、発光制御部４３は、デフォルトＲＧＢ値で光源２６を発光させる。
【００６６】
以上のステップＳ３およびステップＳ５を全ての光源２６について繰り返すことにより、ユーザに多彩なイルミネーションを提供しつつ、ユーザの視認性を考慮して発光部２３の発光を自動的に制御することができ、発光部２３による消費電力を削減することができる。このため、本実施形態に係る携帯電話機１０によれば、ユーザにとって端末利用可能時間を増やすことができる。
【００６７】
なお、図８においてはシステム起動時における発光処理について説明したが、他の発光イベントの発生時においても図８と同様の手順によりユーザの視認性を考慮して発光部２３の発光を制御することにより発光部２３による消費電力を削減することができる。
【００６８】
図８に示す手順によれば、周囲の照度に応じた輝度制御を行う場合には、発光イベントが発生した際に現在の照度レベル等を確認することができるため、事前にＲＧＢ値設定情報を作成する場合に比べ、より正確な周囲の照度の情報を利用することができる。
【００６９】
続いて、ユーザの視認性を考慮した光源２６の発光制御を行うために、少なくとも所定の発光色についての設定ＲＧＢ値を光源２６ごとに設定する際の手順を説明する。
【００７０】
図９は、図８のステップＳ２でＲＧＢ値設定部４２により実行されるＲＧＢ値設定処理の手順を示すサブルーチンフローチャートである。なお、図９には、輝度制御用テーブル３７が図７に示す情報を有する場合の例について示した。
【００７１】
ステップＳ２１において、配色情報取得部５１は、記憶部３３に記憶された透光板色情報３６から透光板２７の配色情報を取得し、ＲＧＢ取得部５４に与える。
【００７２】
次に、ステップＳ２２において、照度情報取得部５２は、照度センサ２５から携帯電話機１０の周囲の照度に応じた出力信号を取得する。
【００７３】
次に、ステップＳ２３において、照度レベル決定部５３は、照度センサ２５の出力に応じて現在の照度を複数のレベルに分類する（図７参照）。
【００７４】
次に、ステップＳ２４において、ＲＧＢ値取得部５４は、現在の照度レベルを用いて輝度制御用テーブル３７を検索する。
【００７５】
次に、ステップＳ２５において、ＲＧＢ値取得部５４は、輝度制御用テーブル３７に記憶された情報から、透光板２７の配色と同一色の発光色について、現在の照度レベルに関連付けられたＲＧＢ値を取得する。また、他の発光色については、デフォルトＲＧＢ値を取得してもよい。
【００７６】
次に、ステップＳ２６において、ＲＧＢ値書込み部５５は、光源２６と、光源２６の透光板２７と同一色と、現在の周囲の照度に応じた設定ＲＧＢ値とを関連付けたＲＧＢ値設定情報をＲＡＭの所要のワークエリアに格納し、図８のステップＳ３に進む。また、ＲＧＢ値取得部５４が他の発光色についてデフォルトＲＧＢ値を取得した場合、ＲＧＢ値書込み部５５は、他の発光色についてデフォルトＲＧＢ値を設定ＲＧＢ値とする旨の情報をＲＧＢ値設定情報に加える。
【００７７】
以上の手順により、輝度制御用テーブル３７が図７に示す情報を有する場合において、ユーザの視認性を考慮した光源２６の発光制御を行うために、少なくとも所定の発光色についての設定ＲＧＢ値を光源２６ごとに設定することができる。
【００７８】
図１０は、ＲＧＢ値設定情報を事前に取得しておく場合の手順を示すフローチャートである。また、図１１は、図１０に示す手順により事前に取得されたＲＧＢ値設定情報を用いて発光イベント発生時の発光処理を行う場合の手順を示すフローチャートである。図１０および図１１において、図８と同等のステップには同一符号を付し、重複する説明を省略する。
【００７９】
発光イベントが発生するごとにＲＧＢ値設定処理を行う場合（図８参照）、発光イベントが発生してから発光処理を行うまでにＲＧＢ値設定処理を実行するための時間がかかってしまう。このＲＧＢ値設定処理を事前に行いＲＧＢ値設定情報をＲＡＭの所要のワークエリアに事前に格納しておき、このＲＧＢ値設定情報を利用することにより、発光イベント発生時の発光処理までの時間を短縮することが可能となる。
【００８０】
このＲＧＢ値設定処理を事前に行いＲＧＢ値設定情報をＲＡＭの所要のワークエリアに事前に格納する場合は、まず、図１０のステップＳ３１において、主制御部３５は、タイマ３４の出力を監視し、タイマ３４が所定の周期（たとえば１分など）が到来したか否かを判定する。所定の周期が到来した場合は、ステップＳ２に進み、ＲＧＢ値設定処理が実行される。一方、所定の周期が到来していない場合は、ステップＳ３２に進む。
【００８１】
ステップＳ３２において、主制御部３５は、タイマ３４の出力を監視し、ユーザにより設定された所定の時刻（たとえば毎日夜８時など）が到来したか否かを判定する。所定の時刻が到来した場合は、ステップＳ２に進み、ＲＧＢ値設定処理が実行される。一方、所定の周期が到来していない場合は、ステップＳ３２に進む。
【００８２】
ステップＳ２でＲＧＢ値設定処理が実行されてＲＡＭの所要のワークエリアにＲＧＢ値設定情報が格納されると、ステップＳ３３において、主制御部３５は、入力部１５を介してユーザからまたはオペレーティングシステムからシステムの終了指示があったか否かを判定する。システムの終了指示があった場合はシステムを終了し一連の手順は終了となる。一方、システムの終了指示がない場合は、引き続き所定の周期および所定の時刻でＲＧＢ値設定情報を更新すべくステップＳ３１に戻る。
【００８３】
以上の手順により、事前にＲＧＢ値設定情報を取得しておくことができるとともに、このＲＧＢ値設定情報を所定の周期および所定の時刻で更新することができる。
【００８４】
この事前に取得したＲＧＢ値設定情報がある場合には、図１１に示すように、ステップＳ４１で発光イベント判定部４１により発光イベントが発生したか否かを判定される。そして、発光イベントが発光したと判定されると、ステップＳ３に進み、事前にＲＡＭの所要のワークエリアに格納されたＲＧＢ値設定情報を用いて速やかに発光制御部４３による一連の発光処理（ステップＳ３〜Ｓ５）が実行可能となる。
【００８５】
図１０および図１１に示す手順によれば、ＲＧＢ値設定処理を事前に行いＲＧＢ値設定情報を事前に取得しておくことができ、このＲＧＢ値設定情報を利用することにより、発光イベント発生時の発光処理までの時間を短縮することができる。
【００８６】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８７】
たとえば、照度センサ２５が照度レベルに分類する機能を有し、照度センサ２５の出力が照度レベルに応じた信号である場合には、照度情報取得部５２および照度レベル決定部５３は不要である。
【００８８】
また、上記実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８９】
１０  携帯電話機
１４  第１のユニット１１の筐体
１７  第２のユニット１２の筐体
２３  発光部
２５  照度センサ
２６  光源
２７  透光板
３３  記憶部
３４  タイマ
３５  主制御部
４１  発光イベント判定部
４２  ＲＧＢ値設定部
４３  発光制御部
【図１】
0005500005.tif 000002
【図２】
0005500005.tif 000003
【図３】
0005500005.tif 000004
【図４】
0005500005.tif 000005
【図５】
0005500005.tif 000006
【図６】
0005500005.tif 000007
【図７】
0005500005.tif 000008
【図８】
0005500005.tif 000009
【図９】
0005500005.tif 000010
【図１０】
0005500005.tif 000011
【図１１】
0005500005.tif 000012